(57)【要約】      （修正有）【課題】平面視Ｌ字形で高低差のある目地部を塞ぐことができる目地装置を提供すること。【解決手段】一方の躯体３と、一方の躯体３と目地部２を介して設けられた他方の躯体４と、一方の躯体３と他方の躯体４間に形成された平面視略Ｌ字形の目地部２と、この目地部２を塞ぐ第１の目地プレート５、第２の目地プレート６、角部目地プレート７及びカバー体８とで構成されている。【選択図】図１
2018040171.tif 000002
【特許請求の範囲】
【請求項１】
第１の目地プレートスライド支持部及びこの第１の目地プレートスライド支持部と壁面を介して連続する第２の目地プレートスライド支持部とが形成された一方の躯体と、該一方の躯体と目地部を介して設けられ、前記第１の目地プレートスライド支持部と対向する位置に設けられた第１の目地プレート支持部及び前記第２の目地プレートスライド支持部と対向する位置に設けられた第２の目地プレート支持部を備える他方の躯体と、前記一方の躯体と他方の躯体間に形成された平面視略Ｌ字形で、前記第２の目地プレートスライド支持部側に角部を有する前記目地部と、前記第１の目地プレート支持部にその一端部が支持され、前記第１の目地プレートスライド支持部にその他端部がスライド可能に支持された第１の目地プレートと、前記第２の目地プレート支持部にその一端部が支持され、前記第２の目地プレートスライド支持部にその他端部がスライド可能に支持され、前記目地部の角部を除く部位に設けられた第２の目地プレートと、前記第２の目地プレート支持部にその一端部が枢支ピンで取り付けられ、前記第２の目地プレートスライド支持部にその他端部がスライド可能に支持され、目地部の角部を塞ぐ複数個の角部目地プレートと、前記他方の躯体の壁面にその一端部が回転可能に取り付けられ、その他端部側が常時第１の目地プレートスライド支持部と第２の目地プレートスライド支持部の間の壁面に当接するように付勢され、該壁面部分の目地部を塞ぐカバー体とで構成され、地震によって前記カバー体が開くように前記一方の躯体と他方の躯体が揺れ動いた場合には、前記複数個の角部目地プレートは、前記カバー体又は一方の躯体の壁面に押圧され、前記枢支ピンを支点に回動し、地震による揺れ動きを吸収すると共に、地震による揺れ動きが収まった場合には、通常状態に復帰することを特徴とする目地装置。
【請求項２】
前記角部目地プレートは、３つの角部目地プレートで構成されており、前記３つの角部目地プレートのうち、両側の角部目地プレートには、中間の角部目地プレートと接する面に押し上げ傾斜面が形成されているとともに、中間の角部目地プレートの両側面にはせり上がり傾斜面が形成されていることを特徴とする請求項１に記載の目地装置。
【請求項３】
前記角部目地プレートを構成する３つの角部目地プレートのうち、カバー体側の角部目地プレートは、カバー体側へ常時付勢されていると共に、該カバー体側の角部目地プレートと中間の角部目地プレートは連結されていることを特徴とする請求項２に記載の目地装置。
【発明の詳細な説明】
【技術分野】
【０００１】
本発明は平面視略Ｌ字形でかつ、前後方向と左右方向で高低差のある目地部を塞ぐ目地装置に関する。
【背景技術】
【０００２】
従来、躯体間の目地部を塞ぐ目地装置としては、「角部を有する目地部を介して設けられた一方の床躯体の目地部側に形成された目地プレート支持凹部と、この目地プレート支持凹部と対応する部位の他方の床躯体の目地部側に形成された反目地部側が傾斜面の目地プレートスライド支持凹部と、前記目地プレート支持凹部に枢支ピンで先端部が上方へ回動可能に支持され、先端部が目地プレートスライド支持凹部に支持された少なくとも１つの角部目地プレートと、この角部目地プレートの少なくとも１つの側面に連結され、目地プレート支持凹部に枢支ピンで先端部が上方へ回動可能に支持され、先端部が目地プレートスライド支持凹部に支持された連結目地プレートと、該連結目地プレートと前記角部目地プレートとを接続する連結機構と、角部目地プレート又は連結目地プレートが設けられていない部位の目地部を塞ぐ目地プレートとで構成される床用目地装置であって、前記連結機構は、角部目地プレートの少なくとも１つの側面の底面側に形成された角部目地プレート側連結具固定凹部と、該角部目地プレート側連結具固定凹部と対応する部位に、連結目地プレートに形成された連結目地プレート側連結具固定凹部と、前記角部目地プレート側連結具固定凹部および連結目地プレート側連結具固定凹部に取付けられた、前記角部目地プレートの側面と連結目地プレートが当接するように付勢するスプリングを介して連結する目地プレート連結具と、前記角部目地プレート側連結具固定凹部および連結目地プレート側連結具固定凹部にそれぞれ設けられ、目地部と直交する方向に係合する係合片とで構成され、前記連結具は角部目地プレート又は連結目地プレートに取り付けられ外方へ突出するボルトと、該ボルトに対応する位置の角部目地プレートの角部目地プレート側連結具固定凹部又は連結目地プレートの連結目地プレート側連結具固定凹部に取り付けられ、前記ボルトが挿入される長孔を有する略コ字状の連結金具と、前記長孔に挿入されたボルトのネジ部と螺合するナットと、連結金具とナットの間に介装された付勢スプリングとでなることを特徴とする床用目地装置」（特許文献１）が知られている。
【０００３】
しかし、このような床用目地装置は、単に角部を有する目地部を塞ぐことしかできず、高低差のある目地部を全て塞ぐことは全く想定されていなかった。
【先行技術文献】
【特許文献】
【０００４】
【特許文献１】特許第５９４０６９６号公報
【発明の概要】
【発明が解決しようとする課題】
【０００５】
本発明は以上のような従来の欠点に鑑み、平面視Ｌ字形で高低差のある目地部を塞ぐことができる目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の目地装置は、第１の目地プレートスライド支持部及びこの第１の目地プレートスライド支持部と壁面を介して連続する第２の目地プレートスライド支持部とが形成された一方の躯体と、該一方の躯体と目地部を介して設けられ、前記第１の目地プレートスライド支持部と対向する位置に設けられた第１の目地プレート支持部及び前記第２の目地プレートスライド支持部と対向する位置に設けられた第２の目地プレート支持部を備える他方の躯体と、前記一方の躯体と他方の躯体間に形成された平面視略Ｌ字形で、前記第２の目地プレートスライド支持部側に角部を有する前記目地部と、前記第１の目地プレート支持部にその一端部が支持され、前記第１の目地プレートスライド支持部にその他端部がスライド可能に支持された第１の目地プレートと、前記第２の目地プレート支持部にその一端部が支持され、前記第２の目地プレートスライド支持部にその他端部がスライド可能に支持され、前記目地部の角部を除く部位に設けられた第２の目地プレートと、前記第２の目地プレート支持部にその一端部が枢支ピンで取り付けられ、前記第２の目地プレートスライド支持部にその他端部がスライド可能に支持され、目地部の角部を塞ぐ複数個の角部目地プレートと、前記他方の躯体の壁面にその一端部が回転可能に取り付けられ、その他端部側が常時第１の目地プレートスライド支持部と第２の目地プレートスライド支持部の間の壁面に当接するように付勢され、該壁面部分の目地部を塞ぐカバー体とで構成され、地震によって前記カバー体が開くように前記一方の躯体と他方の躯体が揺れ動いた場合には、前記複数個の角部目地プレートは、前記カバー体又は一方の躯体の壁面に押圧され、前記枢支ピンを支点に回動し、地震による揺れ動きを吸収すると共に、地震による揺れ動きが収まった場合には、通常状態に復帰することを特徴とする。
【発明の効果】
【０００８】
以上の説明から明らかなように、本発明にあっては次に列挙する効果が得られる。
（１）請求項１に記載の発明においては、床面の目地部を塞ぐ第１及び第２の目地プレートと角部目地プレートを備えるとともに、壁面部分の目地部を塞ぐカバー体を有しているので、平面視Ｌ字形で、かつ、高低差のある目地部を隙間なく塞ぐことができる。
（２）地震によって前記カバー体が開くように前記一方の躯体と他方の躯体が揺れ動いた場合には、前記複数個の角部目地プレートは、前記カバー体又は他方の躯体の壁面に押圧され、前記枢支ピンを支点に回動し、地震による揺れ動きを吸収することができる。
したがって、地震で目地プレート等が破損することなく地震による揺れ動きを吸収することができる。
（３）地震による揺れ動きが収まった場合には、通常状態に復帰することができる。
（４）請求項２に記載の発明においては、前記（１）〜（３）と同様な効果が得られると共に、地震によって壁面側の角部目地プレートが押圧されると、押し上げ傾斜面によって中間の角部目地プレートを容易に上方へ押し上げて、地震による揺れ動きを吸収することができる。
（５）請求項３に記載の発明においても、前記（１）〜（４）と同様な効果が得られるとともに、地震による揺れ動きが収まった場合には、確実に通常状態に復帰することができる。
【図面の簡単な説明】
【０００９】
図１乃至図１６は本発明の第１の実施形態を示す説明図である。
図１７乃至図１９は本発明の第２の実施形態を示す説明図である。
【図１】第１の実施形態の床用目地装置の平面図。
【図２】図１の２−２線断面図。
【図３】図１の３−３線断面図。
【図４】図１の４−４線断面図。
【図５】躯体及び目地部の説明図。
【図６】第１、第２の目地プレートの説明図。
【図７】角部目地プレートの説明図。（ａ）壁面側の角部目地プレートの斜視図、（ｂ）中間の角部目地プレートの斜視図、（ｃ）目地プレート側の角部目地プレートの斜視図。
【図８】カバー体の説明図。
【図９】躯体が地震によって左右方向に揺れ動き前後方向の目地部が狭くなった状態の動作説明図。
【図１０】図９の１０−１０線断面図。
【図１１】躯体が地震によって前後方向に揺れ動き左右方向の目地部が狭くなった状態の動作説明図。
【図１２】図１１の１２−１２線断面図。
【図１３】躯体が地震によって左右方向に揺れ動き前後方向の目地部が広くなった状態の動作説明図。
【図１４】図１３の１４−１４線断面図。
【図１５】躯体が地震によって前後方向に揺れ動き左右方向の目地部が広くなった状態の角部目地プレートの動作説明図。
【図１６】図１５の１６−１６線断面図。
【図１７】第２の実施形態の床用目地装置の平面図。
【図１８】図１７の１８−１８線断面図。
【図１９】角部目地プレートの説明図。（ａ）壁面側の角部目地プレートの斜視図、（ｂ）中間の角部目地プレートの斜視図、（ｃ）目地プレート側の角部目地プレートの斜視図。
【発明を実施するための形態】
【００１０】
以下、図面に示す本発明を実施するための形態により、本発明を詳細に説明する。なお、本明細書では図１を基準として左右方向、前（図面上方）後（図面下方）方向という。また、図２を基準として上（図面上方）下（図面下方）方向という。
【００１１】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１２】
図１乃至図１６に示す本発明を実施するための第１の形態において、１は本実施の形態においては、目地部２を介して設けられた２つの躯体（一方の躯体３と他方の躯体４）間に設置された目地装置である。
【００１３】
この目地装置１は、例えば、図１乃至図４に示すように、一方の躯体３と、前記一方の躯体３と前記目地部２を介して設けられた他方の躯体４と、前記一方の躯体３と他方の躯体４間に形成された平面視略Ｌ字形の目地部２と、この目地部２を塞ぐ第１の目地プレート５、第２の目地プレート６、角部目地プレート７及びカバー体８とで構成されている。
一方の躯体３は、例えば、図５に示すように、左右方向に延在する床面３ａが高所に形成されているとともに、この床面３ａと略垂直な壁面３ｂを介して連続し、前後方向に延在する床面３ｃが低所に形成されており、高低差を有する床面を備えた躯体である。
【００１４】
高所の床面３ａには、目地部２の反対側の端部が傾斜面９に形成された第１の目地プレートスライド支持部１０が形成されている。
【００１５】
また、低所の床面３ｃにも、目地部２の反対側の端部が傾斜面１１に形成された第２の目地プレートスライド支持部１２が形成されている。
他方の躯体４は、前記第１の目地プレートスライド支持部１０と目地部２を介して対向する位置に第１の目地プレート支持部１３が形成されるとともに、前記第２の目地プレートスライド支持部１２と目地部２を介して対向する位置に第２の目地プレート支持部１４が形成されている。
【００１６】
前記一方の躯体の壁面３ｂと対向する位置には、他方の躯体４の前後方向に延在する略垂直な壁面４ａが位置している。
【００１７】
目地部２は、平面視略Ｌ字形で、第１の目地プレートスライド支持部１０と第１の目地プレート支持部１３の間に位置する左右方向の目地部２ａ、前記一方の躯体の壁面３ｂと他方の躯体４の前後方向の壁面４ａの間に位置する壁面間の目地部２ｂ、前記第２の目地プレートスライド支持部１２と第２の目地プレート支持部１４の間に位置する角部の目地部２ｃ及び第２の目地プレートスライド支持部１２と第２の目地プレート支持部１４の間に位置する前後方向の目地部２ｄとで構成されている。
【００１８】
第１の目地プレート５は、第１の目地プレートスライド支持部１０と第１の目地プレート支持部１３の間に位置する左右方向の目地部２ａを塞ぐものであって、図６に示すように、平面視略方形状で浅皿状の目地プレート本体１５と、この目地プレート本体１５の一端部側の両端部に設けられ、第１の目地プレート支持部１０に設けられた取付ピン１６が挿入されるピンボックス１７と、該目地プレート本体１５に充填されたモルタルあるいはコンクリート１８と、このモルタルあるいはコンクリート１８の上面に貼り付けられた大理石等のタイルやレンガ等の床化粧板１９と、目地プレート本体１５の他端部にヒンジ部材２０を介して設けられたカバー板２１とで構成される。
【００１９】
この第１の目地プレート５は、その一端部が前記第１の目地プレート支持部１２に設けられた取付ピン１６がピンボックス１７に挿入されるとともに、一端部の底面が第１の目地プレート支持部１２に支持されに、その他端部は前記第１の目地プレートスライド支持部１０に支持される。
【００２０】
第２の目地プレート６は、第２の目地プレートスライド支持部１２と第２の目地プレート支持部１４の間に位置する前後方向の目地部２ｄを塞ぐものであって、前記第１の目地プレート５と同様に構成される。
【００２１】
この第２の目地プレート６は、その一端部が前記第２の目地プレート支持部１４に設けられた取付ピン１６がピンボックス１７に挿入されるとともに、一端部の底面が第２の目地プレート支持部１２に支持されに、その他端部は前記第２の目地プレートスライド支持部１０に支持される。この第２の目地プレート６は、前記前後方向の目地部２ｄを塞いでおり、目地部２の角部２ｃには設けられていない。
【００２２】
角部目地プレート７は、本実施の形態においては、壁面側の角部目地プレート７ａと、中間の角部目地プレート７ｂと、第２の目地プレート側の角部目地プレート７ｃとで構成されている。
【００２３】
壁面側の角部目地プレート７ａは、例えば図７（ａ）に示すように、平面視略直角三角形状で浅皿状の角部目地プレート本体２２と、この角部目地プレート本体２２の一端部側の頂点付近の底部に設けられた枢支ピン２３と、該角部目地プレート本体２２に充填されたモルタルあるいはコンクリート２４と、このモルタルあるいはコンクリート２４の上面に貼り付けられた大理石等のタイルやレンガ等の床化粧板２５と、角部目地プレート本体２２の他端部にヒンジ部材２６を介して設けられたカバー板２７とで構成されている。
この目地プレート本体２２の前記中間の角部目地プレート７ｂと接する側面（平面視斜辺となる面）には、前記中間の角部目地プレート７ｂを上方へ押し上げる押し上げ傾斜面２８が形成されている。
【００２４】
この枢支ピン２３は、前記第２の目地プレート支持部１４に設けられた枢支ピン挿入孔２９に挿入される。
【００２５】
第２の目地プレート側の角部目地プレート７ｃは、例えば図７（ｃ）に示すように、壁面側の角部目地プレート７ａと平面視線対称の角部目地プレート本体２２Ａと、この角部目地プレート本体２２Ａの一端部側の頂点付近の底部に設けられた枢支ピン２３と、該角部目地プレート本体２２Ａに充填されたモルタルあるいはコンクリート２４と、このモルタルあるいはコンクリート２４の上面に貼り付けられた大理石等のタイルやレンガ等の床化粧板２５と、角部目地プレート本体２２Ａの他端部にヒンジ部材２６を介して設けられたカバー板２７とで構成されている。
【００２６】
この角部目地プレート本体２２Ａの前記中間の角部目地プレート７ｂと接する側面（平面視斜辺となる面）には、前記中間の角部目地プレート７ｂを上方へ押し上げる押し上げ傾斜面２８Ａが形成されている。
【００２７】
中間の角部目地プレート７ｂは、例えば図７（ｂ）に示すように、平面視略二等辺三角形状で浅皿状の角部目地プレート本体２２Ｂと、この角部目地プレート本体２２Ｂの一端部側の頂点付近の底部に設けられた枢支ピン２３と、該角部目地プレート本体２２Ｂに充填されたモルタルあるいはコンクリート２４と、このモルタルあるいはコンクリート２４の上面に貼り付けられた大理石等のタイルやレンガ等の床化粧板２５と、角部目地プレート本体２２Ｂの他端部にヒンジ部材２６を介して設けられたカバー板２７とで構成されている。
【００２８】
なお、枢支ピン２３は、角部目地プレート７の板厚の２倍以上の長さを有している。
この角部目地プレート本体２２Ｂの前記両側面には、前記押し上げ傾斜面２７、２７Ａにより押し上げられる形状のせり上がり傾斜面３０が形成されている。
【００２９】
前記壁面側の角部目地プレート７ａは復帰手段３１が設けられており、地震よって一方の躯体３の壁面３ｂ又はカバー体８に押圧され、その後地震による揺れ動きが収まった場合に、確実に通常状態に復帰することができる。
【００３０】
この復帰手段３１は、本実施の形態においては、コイルスプリング及びワイヤーによって構成されており、このコイルスプリングはその一端部が一方の躯体３に固定され、他端部が壁面側の角部目地プレート７ａの底面に固定されており、常時一方の躯体３の壁面３ｂ側へ付勢している。
【００３１】
また、壁面側の角部目地プレート７ａは前記中間の角部目地プレート７ｂと接続部材３２（本実施の形態においては、ワイヤー）で接続されており、地震による揺れ動きが収まった場合には、この接続部材３２によって引っ張られ、通常状態に復帰する。
【００３２】
カバー体８は、例えば図８に示すように、前記他方の躯体４の前後方向の壁面４ａにその一端部が回転軸３３を介して回動可能に設けられており、その他端部は前記一方の躯体３の壁面３ｂに当接している。なお、この回転軸３３にカバー体８を取付ける際に、カバー体８が上下方向に移動可能に取付けることが望ましい。
【００３３】
このカバー体８の内側（第１の目地プレート側）には、レール部材３４が設けられており、このレール部材３４には、スライド移動可能に付勢手段３５が取り付けられている。
付勢手段３５は、本実施の形態においては、一方の躯体３に固定された付勢具３６と、該付勢具３６と接続されたワイヤー３７と、該ワイヤー３７の先端部に設けられた係合部材３８とで構成されている。
【００３４】
具体的には、このレール部材３４は、両端部がカバー体８の背面側に固定され、前後方向に延伸するバー部材で構成されており、前記付勢手段３５の係合部材３８が前記バー状のレール部材３４にスライド移動可能に係合されている。
この付勢手段３５によって、カバー体８の他端部側は、常時一方の躯体３の壁面３ｂに当接するように付勢される。
【００３５】
躯体が地震によって左右方向に揺れ動き前後方向の目地部が狭くなった場合には、図９及び図１０に示すように、第２の目地プレート６や角部目地プレート７は、第２の目地プレートスライド支持部１２の傾斜面１１によって上方にせり上げられ、地震による揺れ動きを吸収する。この時、カバー体８は、付勢手段３５によって引っ張られ、カバー体側の第１の目地プレート５の下に潜り込む様に回動し、その他端部側が一方の躯体３の壁面３ｂに当接している状態を維持する。
【００３６】
躯体が地震によって前後方向に揺れ動き左右方向の目地部が狭くなった場合には、図１１及び図１２に示すように、第１の目地プレート５や角部目地プレート７は、第１の目地プレートスライド支持部１０の傾斜面９によって上方にせり上げられ、地震による揺れ動きを吸収する。
【００３７】
躯体が地震によって左右方向に揺れ動き前後方向の目地部が広くなった場合には、図１３及び図１４に示すように、第２の目地プレート６は、第２の目地プレートスライド支持部１２上をスライド移動する。また、角部目地プレート７は、一方の躯体３の壁面３ｂによって押圧され、壁面側の角部目地プレート７ａは、枢支ピン２３を支点に回動するとともに、壁面側の角部目地プレート７ａ及び第２の目地プレート側の角部目地プレート７ｃの押し上げ傾斜面２８、２８Ａによって、中間の角部目地プレート７ｂを上方へ押し上げて地震による揺れ動きを吸収する。
【００３８】
この時、カバー体８も一方の躯体３の壁面３ｂによって押圧されて、前記回転軸３３を支点に回動し、地震による揺れ動きを吸収する。
【００３９】
地震による揺れ動きが収まると、カバー体８は付勢手段３５によって、壁面側の角部目地プレート７ａは復帰手段３１によって通常状態に復帰する。また、中間の目地プレート７ｂは、接続部材３２によって壁面側の角部目地プレート７ａに引っ張られ、通常状態に復帰する。
【００４０】
躯体が地震によって前後方向に揺れ動き左右方向の目地部が広くなった場合には、図１５及び図１６に示すように、第１の目地プレート５や角部目地プレート７は、第１の目地プレートスライド支持部１０上をスライド移動し、地震による揺れ動きを吸収する。
【００４１】
[発明を実施するための異なる形態]
次に、図１７乃至図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１７乃至図１９に示す本発明を実施するための第２の形態において、前記本発明を実施するための第１の形態と主に異なる点は、押し上げ傾斜面２８Ａを形成しない第２の目地プレート側の角部目地プレート７ｃ’と、第２の目地プレート側の角部目地プレート７ｃ’側にせり上がり傾斜面３０を形成しない中間の角部目地プレート７ｂ’を用いて構成した角部目地プレート７Ａにした点で、このような角部目地プレート７Ａを用いた目地装置１Ａにしても、前記本発明を実施するための第１の形態と同様の作用効果を得ることができる。
【００４２】
本発明の実施形態においては、カバー体側の角部目地プレートが付勢されている形態について説明したが、カバー体側の角部目地プレートとカバー体又は他方の躯体の壁面とをワイヤーや係止片等で接続し、地震による揺れ動きが収まった場合に、通常状態に復帰するようにしてもよい。
【００４３】
また、角部目地プレートについては３つの角部目地プレートを用いるものについて説明したが、カバー体側の角部目地プレート及び目地プレート側の角部目地プレートの２つの角部目地プレートで目地部の角部を塞ぐものでもよいし、４つ以上の角部目地プレートを用いてもよい。
【００４４】
本発明の実施形態においては、復帰手段や接続部材を用いたものについて説明したが、地震による揺れ動きが収まり、壁面側の角部目地プレートが押圧状態から開放されると、中間の角部目地プレートの自重によりせり上がり傾斜面が押し上げ傾斜面を押圧し、通常状態に復帰可能することも可能であるため、復帰手段や接続部材は必ずしも設ける必要はない。
【００４５】
また、本発明の実施形態においては、地震によって躯体が左右方向に揺れ動き、前後方向の目地部が狭くなった場合に、一方の躯体の壁面で壁面側の角部目地プレートを押圧する形態について説明したが、カバー体で（一方の躯体の壁面に押圧されたカバー体を介して）壁面側の角部目地プレートを押圧してもよい。
【産業上の利用可能性】
【００４６】
本発明は目地装置を製造する産業で利用される。
【符号の説明】
【００４７】
１、１Ａ：目地装置、                ２：目地部、
３：一方の躯体、                    ４：他方の躯体、
５：第１の目地プレート、            ６：第２の目地プレート、
７：角部目地プレート７、            ８：カバー体、
９：傾斜面、
１０：第１の目地プレートスライド支持部、
１１：傾斜面、
１２：第２の目地プレートスライド支持部、
１３：第１の目地プレート支持部、    １４：第２の目地プレート支持部、
１５：目地プレート本体、            １６：取付ピン、
１７：ピンボックス、                １８：モルタルあるいはコンクリート、
１９：床化粧板、                    ２０：ヒンジ部材、
２１：カバー板、
２２、２２Ａ、２２Ｂ：角部目地プレート本体、
２３：枢支ピン、                    ２４：モルタルあるいはコンクリート、
２５：床化粧板、                    ２６：ヒンジ部材、
２７：カバー板、                    ２８、２８Ａ：押し上げ傾斜面、
２９：枢支ピン挿入孔、              ３０：せり上がり傾斜面、
３１：復帰手段、                    ３２：接続部材、
３３：回転軸、                      ３４：レール部材、
３５：付勢手段、                    ３６：付勢具、
３７：ワイヤー、                    ３８：係合部材。
【図１】
2018040171.tif 000003
【図２】
2018040171.tif 000004
【図３】
2018040171.tif 000005
【図４】
2018040171.tif 000006
【図５】
2018040171.tif 000007
【図６】
2018040171.tif 000008
【図７】
2018040171.tif 000009
【図８】
2018040171.tif 000010
【図９】
2018040171.tif 000011
【図１０】
2018040171.tif 000012
【図１１】
2018040171.tif 000013
【図１２】
2018040171.tif 000014
【図１３】
2018040171.tif 000015
【図１４】
2018040171.tif 000016
【図１５】
2018040171.tif 000017
【図１６】
2018040171.tif 000018
【図１７】
2018040171.tif 000019
【図１８】
2018040171.tif 000020
【図１９】
2018040171.tif 000021